(57)【要約】【課題】洋服ダンス等のバーに衣類等とともにバーに吊り下げられた状態でも容器内に収容された揮散剤の残量を容易に確認できる吊り下げ式揮散剤用容器を提供する。【解決手段】吊り下げ式揮散剤用容器１は、相互に合わさって内側に揮散剤Ｓを保持する収納空間を形成する一対の本体半部９，１０からなる容器本体３と、該容器本体３を吊り下げ保持するフック７と、インジケータＩを収容するとともに該インジケータＩを外部に露呈させる窓部３０が形成されたインジケータケース７とを備える。インジケータケース７は、一対の本体半部９，１０にそれぞれ一体に設けられ、該本体半部９，１０を互いに合わせた際に相互に合わさってインジケータＩ用の収納部を形成する一対のケース半部２７，２８からなり、インジケータケース７を、基端部５ａの後方側でかつ窓部３０が後方側を指向するようフック５の延在する面に対して直交して配置してなる。【選択図】図１
2012228206.tif 000002
【特許請求の範囲】
【請求項１】
相互に合わさって内側に揮散剤を保持する収納空間を形成する一対の本体半部からなる容器本体と、該容器本体を吊り下げ保持するフックと、前記揮散剤の残量の目安を示すインジケータを収容するとともに該インジケータを外部に露呈させる窓部が形成されたインジケータケースと、を備える吊り下げ式揮散剤用容器であって、
前記インジケータケースは、前記一対の本体半部にそれぞれ一体に設けられ、前記一対の本体半部を互いに合わせた際に相互に合わさって前記インジケータのための収納部を形成する一対のケース半部からなり、
前記フックの基端部から先端部に向かう方向を前方側としたとき、前記インジケータケースを前記基端部の後方側に配置するとともに、前記窓部が後方側を指向するよう前記フックの延在する面に対して直交して配置してなることを特徴とする吊り下げ式揮散剤用容器。
【請求項２】
前記インジケータケースの上部に前記インジケータの差込み口を設けるとともに、該インジケータケースの内壁に前記差込み口から前記収納部内に差し込まれたインジケータに係止する押え爪を設けてなる、請求項１に記載の吊り下げ式揮散剤用容器。
【発明の詳細な説明】
【技術分野】
【０００１】
本発明は、揮散剤を収容し、洋服ダンスやクローゼット等のバーに吊り下げて使用する吊り下げ式揮散剤用容器に関するものであり、とくに、揮散剤の残量の目安となるインジケータが設けられたものに関する。
【背景技術】
【０００２】
従来、衣類用の防虫剤容器等の吊り下げ式の揮散剤用容器としては、例えば特許文献１に提案されており、このものは、容器内側に収容する揮散剤として、防虫効果のある薬剤を含浸させたシート（防虫シート）を用いるとともに、上部に一体連結したフックにより、洋服ダンスやクローゼット等のバーにハンガーに掛けられた衣類等とともに直接吊り下げられるようにしたものであって、このような容器によれば、揮散剤の収容スペースを狭めて容器を偏平状にできるので、衣類等の収納スペースを犠牲にすることがない。
【先行技術文献】
【特許文献】
【０００３】
【特許文献１】特開２００５−３３３９４３号公報
【発明の概要】
【発明が解決しようとする課題】
【０００４】
ところで、このような揮散剤用容器にあっては、通常、シートに含浸された薬剤の残量の目安とすべくインジケータが設けられるところ、上述した従来の容器にあっては、揮散した薬剤を外部に放出させるための窓孔を形成する、容器の側壁板に、該窓孔と併せてインジケータ窓部も形成するものであるため、容器を洋服ダンス等のバーに吊り下げた状態では隣り合う衣類等に邪魔されてインジケータを直接視認することができず、容器をバーから取り外したり、吊り下げられた衣類を横にずらしたりする必要があって、インジケータの確認作業が煩雑であった。
【０００５】
それゆえ、本発明は、洋服ダンスやクローゼット等のバーに衣類等とともに吊り下げられた状態でも容器内に収容された揮散剤の残量を容易に確認できる吊り下げ式揮散剤用容器を提供することを目的とする。
【課題を解決するための手段】
【０００６】
本発明は、上記課題を解決するためになされたものであり、本発明の吊り下げ式揮散剤用容器は、相互に合わさって内側に揮散剤を保持する収納空間を形成する一対の本体半部からなる容器本体と、該容器本体を吊り下げ保持するフックと、前記揮散剤の残量の目安を示すインジケータを収容するとともに該インジケータを外部に露呈させる窓部が形成されたインジケータケースと、を備える吊り下げ式揮散剤用容器であって、前記インジケータケースは、前記一対の本体半部にそれぞれ一体に設けられ、前記一対の本体半部を互いに合わせた際に相互に合わさって前記インジケータのための収納部を形成する一対のケース半部からなり、前記フックの基端部から先端部に向かう方向を前方側としたとき、前記インジケータケースを前記基端部の後方側に配置するとともに、前記窓部が後方側を指向するよう前記フックの延在する面に対して直交して配置してなることを特徴とするものである。
【０００７】
なお、本発明の吊り下げ式揮散剤用容器にあっては、前記インジケータケースの上部に前記インジケータの差込み口を設けるとともに、該インジケータケースの内壁に前記差込み口から前記収納部内に差し込まれたインジケータに係止する押え爪を設けることが好ましい。
【発明の効果】
【０００８】
本発明の揮散剤用容器によれば、フックの基端部の後方側でかつ窓部が後方側を指向するようインジケータケースを設置したことから、衣類のかさばりに拘りなくインジケータを容易に視認することができる。また、一対の本体半部を合わせるだけで、揮散剤の収容空間とインジケータ用の収納部を同時に形成することができて組み立て、セット作業も容易である。
【０００９】
また、本発明の揮散剤用容器において、インジケータケースの上部にインジケータの差込み口を設けるとともに、該インジケータケースの内壁に差込み口から収納部内に差し込まれたインジケータに係止する押え爪を設けた場合には、インジケータを、インジケータケースの組み立て後にセットすることができるとともに、該インジケータケースからインジケータが脱落するのを防止することができる。
【図面の簡単な説明】
【００１０】
【図１】本発明の第１実施形態の吊り下げ式揮散剤用容器の側面図である。
【図２】図１中のＡ−Ａ線に沿う断面図である。
【図３】図１の吊り下げ式揮散剤用容器の正面図である。
【図４】図１の吊り下げ式揮散剤用容器の平面図である。
【図５】図１の吊り下げ式揮散剤用容器の分解図である。
【図６】図５の吊り下げ式揮散剤用容器を上から見た平面図である。
【図７】本発明の第２実施形態の吊り下げ式揮散剤用容器を組み立て前の状態で示した図である。
【図８】図７中のＢ−Ｂ線に沿う断面図である。
【図９】（ａ）は図７の吊り下げ式揮散剤用容器を組み立てた状態で示す側面図であり、（ｂ）はその平面図であり、（ｃ）はその断面図（Ｃ−Ｃ断面）であり、（ｄ）はその正面図である。
【発明を実施するための形態】
【００１１】
以下、本発明の実施の形態を図面を参照しながら詳細に説明する。
【００１２】
図１〜４に示すように、本実施形態の吊り下げ式揮散剤用容器（以下、単に「揮散剤用容器１」という。）１は、防虫成分や芳香成分、消臭成分等を有する薬剤が含浸された矩形シート状（板状）の揮発剤Ｓを内部に収納、保持する容器本体３と、この容器本体３を洋服ダンスやクローゼット等のバー（図示省略）に吊り下げるフック５と、上記揮散剤Ｓに含浸された薬剤の残量の目安を示す小片（シート状）のインジケータＩを収容、保持するインジケータケース７と、を備えて構成される。なお、本明細書において、「上方」または「上」とは揮散剤用容器１を吊り下げた際に容器本体３からみてフック５の位置する方向を指し、「下方」または「下」とは、該上方とは反対の方向を指し、「前方」または「前」とは、フック５の基端部５ａから先端部５ｂに向かう方向を指し、「後方」または「後」とは、該前方とは反対の方向を指すものとする。
【００１３】
以下、これらの各構成部材の詳細を説明するに、先ず、容器本体３は、図５及び６に示すように、相互に合わさって内側に上記揮散剤Ｓを保持する収納空間を形成する一対の本体半部９，１０からなり、各本体半部９，１０は、揮散剤Ｓから揮散した薬剤を外部に放出するための複数の揮散孔１２を形成する略矩形で平坦な側壁部１５，１６と、該側壁部１５，１６の周縁から立ち上がる周壁部１８，１９であって上記一対の本体半部９，１０が合わさった際に先端が他方の本体半部９，１０の周壁部１８，１９の先端と突き合わさる周壁部１８，１９とを有する。
【００１４】
また、各側壁部１５，１６の内面には、対向する側壁部１５，１６に向けて突出するピン２１であって、対向するピン２１との間に上記揮散剤Ｓを狭持するピン２１が複数（この例ではそれぞれ６つ）設けられている。また、一方の本体半部９の側壁部１５の、上記揮散孔１２の周りには、他方の本体半部１０の側壁部１６に向けて突出する係止爪２３が複数（この例では４つ）設けられるとともに、該他方の本体半部１０の側壁部１６には、これらの係止爪２３に対応する位置に該係止爪２３の先端を挿通させる孔２５が設けられている。これにより、一対の本体半部９，１０を合わせると、つまり一対の本体半部９，１０の周壁部１８，１９の先端を互いに突き合わせると、係止爪２３が孔２５に入り込んで該孔２５の周囲に係止され、容器本体３を閉姿勢に維持することができる。なお、この例では、容器本体３の材質はＰＥＴ（ポリエチレンテレフタレート）としているがこれに限定されず、また、一対の本体半部９，１０の係止構造やピン２１の位置、個数等も図示例に限定されない。
【００１５】
次に、フック５は、上記側壁部１５，１６の延在面と平行な面で延び、弧状を呈するとともに容器本体３の上部に配置されており、この例では、一対の本体半部９，１０のうちの一方の本体半部９の周壁部１８の、上側の長辺部分１８ａの中央に本体半部９と一体に形成されている。なお、図示しないが、フック５は、本体半部９，１０と同様に、本体半部９，１０を合わせた際に重なって一つのフック５を形成する一対のフック半部より構成するようにしてもよく、この場合、各フック半部は、一対の本体半部９，１０にそれぞれ一体に形成することができる。
【００１６】
そして、インジケータケース７は、上記一対の本体半部９，１０にそれぞれ一体に設けられ一対の本体半部９，１０を互いに合わせた際に相互に合わさってインジケータＩのための収納部を形成する一対のケース半部２７，２８からなる。インジケータケース７は、フック５の基端部５ａの後方側に配置されるとともに、収納部に収められたインジケータＩを外部に露呈される窓部３０が後方側を指向するようフック５の延在する面に対して直交して配置されている。
【００１７】
より詳細には、各ケース半部２７，２８は、本体半部９，１０の周壁部１８，１９の、上側の長辺部分１８ａ，１９ａからフック５の延在する面に対して直交する向きで各々立ち上がるとともにその相互間に隙間を形成する前壁半部３２，３３及び後壁半部３５，３６と、これらの前壁半部３２，３３及び後壁半部３５，３６をつなぐ側壁３８，３９とからなり、一対の本体半部９，１０を合わせた際に前壁半部３２，３３の側縁同士が連結されるとともに後壁半部３５，３６の側縁同士が連結されて内側に上記収納部が形成されることとなる。また、各前壁半部３２，３３には、上記窓部３０を形成する切り欠き３２ａ，３３ａが形成されている。また、この例では、フック５が一方の本体半部９，１０にのみ形成されていることから、ケース半部２７，２８の一方のみがフック５に一体とされている。
【００１８】
また、図３に示すように、インジケータケース７の上部には、インジケータＩを収納部に差し込むための差込み口４１が設けられるとともに、インジケータケース７の内壁（側壁３８，３９の内面）にはそれぞれ、差込み口４１から収納部内に差し込まれたインジケータＩの側縁に係止する押え爪４３，４４が一体に形成されている。また、各側壁３８，３９の、押え爪４３，４４の真下位置には開口４６，４７が形成されており、これにより、インジケータＩを差し込んで押え爪４３，４４の先端がインジケータＩの側縁に圧接した際に押え爪４３，４４を十分に撓ませてインジケータＩを確実に係止、保持することが可能となる。
【００１９】
次に、上記のように構成される揮散剤用容器１の組み立て、使用方法について説明する。先ず、図２に示すように、一対の本体半部９，１０のピン２１の相互間にシート状の揮散剤Ｓを挟み込むようにして一対の本体半部９，１０を合わせ、係止爪２３を孔２５の周りに係止させる。これにより、容器本体３を閉姿勢とし、内部に揮散剤Ｓを保持することができる。続いて、一対の本体半部９，１０を合わせるのと同時に一対のケース半部２７，２８が合わさって形成されたインジケータケース７の差込み口４１からインジケータＩを差し込むことで、図３に示すように、押え爪４３，４４がインジケータＩの側縁に係止してインジケータＩが収納部内にセット、保持される。なお、インジケータＩへの薬剤の含浸は、インジケータケース７内に収納する前に予め施しておいてもよいが、インジケータＩをインジケータケース７内に差し込んだ後に、インジケータケース７の窓部３０を通じて薬剤を滴下するようにしてもよい。このようにして使用準備が整った後には、揮散剤用容器１のフック５を洋服ダンスやクローゼットのバーに吊り下げることで容器本体３内の揮散剤Ｓの薬剤を揮散孔１２を通して揮散させることができる。そして、揮散剤Ｓに含浸された薬剤の残量を確認する際には、フック５の基端部５ａの後方側（確認者からみて手前側）に位置し、確認者の方を向いて開口する窓部３０を通してインジケータＩを視認することができる。
【００２０】
したがって、この揮散剤用容器１によれば、フック５の基端部５ａの後方側でかつ窓部３０が後方側を指向するようインジケータケース７を設置したことから、衣類のかさばりに拘りなくインジケータＩを容易に視認することができる。また、一対の本体半部９，１０を合わせて相互に嵌合させるだけで、揮散剤Ｓの収容空間とインジケータＩ用の収納部を同時に形成することができて組み立て、セット作業も容易である。
【００２１】
次いで、本発明の他の実施形態の揮散剤用容器１を図７〜９を参照して説明する。なお、前述の実施形態の揮散剤用容器１と同様の要素には同一の符号を付し、その詳細な説明は省略する。
【００２２】
この図に示す実施形態の揮散剤用容器１は、容器本体３を構成する一対の本体半部９，１０をその下部にて一以上（ここでは２つ）のヒンジ５１，５２にて連結している点で前述の実施形態の揮散剤用容器１とは異なる。
【００２３】
かかる実施形態の揮散剤用容器１によれば、一対の本体半部９，１０、一対のケース半部２７，２８、及びフック５を全て一体成形により同時に形成することができて製造が容易であり、しかも、ヒンジ５１，５２を介して一方の本体半部１０を揺動させて他方の本体半部９に被せるだけで容器本体３を形成することができ、一方の本体半部１０を他方の本体半部９に位置合わせしながら合わせるという手間が省けるため、組み立て、セット作業をより一層容易に行うことが可能となる。
【産業上の利用可能性】
【００２４】
かくして、本発明により、洋服ダンスやクローゼット等のバーに衣類等とともに吊り下げられた状態でも容器内に収容された揮散剤の残量を容易に確認できる吊り下げ式揮散剤用容器を提供することが可能となった。
【符号の説明】
【００２５】
１  吊り下げ式揮散剤用容器
３  容器本体
５  フック
７  インジケータケース
９，１０  本体半部
１２  揮散孔
２３  係止爪
２５  孔
２７，２８  ケース半部
３０  窓部
４１  差込み口
４３，４４  押え爪
４６，４６  開口
【図１】
2012228206.tif 000003
【図２】
2012228206.tif 000004
【図３】
2012228206.tif 000005
【図４】
2012228206.tif 000006
【図５】
2012228206.tif 000007
【図６】
2012228206.tif 000008
【図７】
2012228206.tif 000009
【図８】
2012228206.tif 000010
【図９】
2012228206.tif 000011